(57)【要約】【課題】本発明は、レンズ全系の全長を短縮化しつつも製造敏感度を低減して光学性能を向上するようにする。【解決手段】物体側から順に、正の屈折力を有する第１レンズと、光量の調節を行う開口絞りと、物体側に凹面を向けた負の屈折力を有する第２レンズと、物体側に凹面を向けた正の屈折力を有する第３レンズと、負の屈折力を有する第４レンズとを具え、以下の条件式（１）及び条件式（２）を満足するように構成した。（１）ｆ２／ｆ＜−１．５（２）１２＜ν２＜２８【選択図】図１
2010026387.tif 000002
【特許請求の範囲】
【請求項１】
物体側から順に、正の屈折力を有する第１レンズと、
光量の調節を行う開口絞りと、
上記物体側に凹面を向けた負の屈折力を有する第２レンズと、
上記物体側に凹面を向けた正の屈折力を有する第３レンズと、
負の屈折力を有する第４レンズと
を具え、
以下の条件式（１）及び条件式（２）を満足する撮像レンズ。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【請求項２】
以下の条件式（３）を満足する
請求項１に記載の撮像レンズ。
（３）０．６＜ｆ３／ｆ＜１．５
但し、
ｆ：レンズ全系の焦点距離
ｆ３：第３レンズの焦点距離
とする。
【請求項３】
上記第１レンズ及び上記第２レンズは、上記物体側又は像側の少なくとも１面が非球面形状に形成され、
上記第３レンズ及び上記第４レンズは、上記物体側及び上記像側の両方の面が非球面形状に形成されている
請求項１又は請求項２に記載の撮像レンズ。
【請求項４】
上記第４レンズは、以下の条件式（４）を満足する
請求項１乃至請求項３に記載の撮像レンズ。
（４）ν４＞５０
但し、
ν４：第４レンズのｄ線（波長５８７．６ｎｍ）におけるアッベ数
とする。
【請求項５】
撮像レンズと、当該撮像レンズによって形成された光学像を電気的信号に変換する撮像素子とを具え、
上記撮像レンズは、
物体側から順に、正の屈折力を有する第１レンズと、
光量の調節を行う開口絞りと、
上記物体側に凹面を向けた負の屈折力を有する第２レンズと、
上記物体側に凹面を向けた正の屈折力を有する第３レンズと、
負の屈折力を有する第４レンズと
を具え、
以下の条件式（１）及び条件式（２）を満足する撮像装置。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【発明の詳細な説明】
【技術分野】
【０００１】
本発明は、撮像レンズ及び撮像装置に関し、例えば広角度な画角に対応した撮像レンズに適用して好適であると共に、ＣＣＤ(Charge Coupled Device)やＣＭＯＳ(Complementary Metal Oxide Semiconductor)等の固体撮像素子を用いたデジタルスチルカメラ、カメラ付き携帯電話機等の小型の撮像装置に適用して好適なものである。
【背景技術】
【０００２】
従来、ＣＣＤやＣＭＯＳ等の固体撮像素子を用いた撮像装置が搭載されたカメラ付携帯電話機やデジタルスチルカメラが知られている。このような撮像装置においては、より一層の小型化が要求されており、当該撮像装置に搭載される撮像レンズにおいても、小型で全長の短いものが要求されている。
【０００３】
それと同時に撮像レンズに対する広角化も望まれており、小型化の要求とあいまって焦点距離が短いものが要望されている。
【０００４】
また近年では、カメラ付き携帯電話機のような小型撮像機器においても、小型化と共に撮像素子の高画素化が進んでおり、メガピクセル以上の高画素撮像素子を搭載したモデルが普及機となっている。
【０００５】
それと同時に、撮像レンズの広角化も望まれており、そのために小型撮像機器に搭載される撮像装置の撮像レンズとしても、こうした高画素撮像素子に対応する高いレンズ性能が要求されている。こうした小型かつ高性能の撮像レンズとしては、３枚構成以上のものが必要となりつつある（例えば、特許文献１乃至特許文献４参照）。
【特許文献１】特開2007-155868公報
【特許文献２】特開2005-292559公報
【特許文献３】特開2004-341512公報
【特許文献４】特開2008-33376公報
【発明の開示】
【発明が解決しようとする課題】
【０００６】
ところで上述した特許文献１に記載の撮像レンズにおいては、レンズを３枚必要とする構成であるが、近年における撮像素子の高画素化に対しては、高い解像力を有し、かつ色収差の小さいレンズが求められている。これに対し、このような３枚構成の撮像レンズではレンズ枚数が不足し、色収差等を補正し切れず、必要とされる光学性能を得ることは困難であるという問題があった。
【０００７】
また、上述した特許文献２に記載の撮像レンズにおいては、レンズを４枚必要とする構成であり、高い収差補正能力を有しているが、全長が長いため十分に小型化されているとはいえない。
【０００８】
撮像レンズの広角化に伴い、各レンズの屈折力パワーが強くなることを考慮すると、製造感度が低くなるような構成を取らなければならないところ、この４枚構成の撮像レンズでは、絞りが光学系の一番前に配置されていることから、レンズ間の軸ずれ等による収差変動が大きくなる等の製造敏感度が高くなり、その分、光学性能を低下させる要因になってしまうという問題があった。
【０００９】
さらに、上述した特許文献３及び特許文献４に記載の撮像レンズにおいては、倍率色収差、軸上色収差に対する補正と、軸外収差に対する補正とが十分に出来ておらず、メガピクセル以上の高画素撮像素子に対応した適切な撮像レンズとはいえず、かつ、焦点距離も短くないため広角化とは言えず、全長も短くないという問題があった。
【００１０】
本発明は以上の点を考慮してなされたもので、高画素撮像素子に対応した良好な光学特性を有する小型の撮像レンズ及びその撮像レンズを用いた撮像装置を提案しようとするものである。
【課題を解決するための手段】
【００１１】
かかる課題を解決するため本発明の撮像レンズにおいては、物体側から順に、正の屈折力を有する第１レンズと、光量の調節を行う開口絞りと、物体側に凹面を向けた負の屈折力を有する第２レンズと、物体側に凹面を向けた正の屈折力を有する第３レンズと、負の屈折力を有する第４レンズとを具え、以下の条件式（１）及び条件式（２）を満足するように構成されている。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【００１２】
これにより撮像レンズにおいては、開口絞りを第１レンズと第２レンズとの間に配置しているため、開口絞りを物体側の一番前に配置する場合に比べて、屈折力の強い第１レンズ及び第２レンズにおける光線の通る光軸からの像高が低くなり、製造敏感度を低減して光学性能の向上を図ることが出来ると共に、開口絞りの絞り位置を光学系の前方寄りに極力配置して射出瞳を前方に位置させることによりレンズ全系の全長を短縮化することができる。
【００１３】
また撮像レンズにおいては、第２レンズの形状が物体側に凹形状となっていることにより、当該第２レンズに対する光線の入射角を小さく出来るので、撮像レンズの広角化に対しても収差の発生を抑制することができる。
【００１４】
条件式（１）は、レンズ全系の焦点距離ｆと、第２レンズの焦点距離ｆ２との比を規定するものであり、第２レンズの屈折力を制限している。本発明の撮像レンズでは、条件式（１）の規定値を外れると、軸外収差（特にコマ収差）と像面湾曲の補正が困難になる。
【００１５】
このように本発明の撮像レンズでは、条件式（１）を満足することにより、軸上収差だけでなく、特に軸外からの光線によって発生する収差を効果的に補正し得るようになされている。
【００１６】
また本発明の撮像レンズでは、レンズ全系の全長短縮及び広角化を行ううえで、条件式（１）のように第２レンズのパワーを規定することにより、当該第２レンズの製造感度をある程度低く抑え得るようになされている。
【００１７】
また条件式（２）は、第２レンズのアッベ数に関する条件を示しており、当該アッベ数がこの条件範囲内に入るようにすることにより、撮像レンズの広角化に伴って発生する倍率色収差、軸上色収差を効果的に補正するものである。
【００１８】
この撮像レンズでは、条件式（２）の上限を外れると、軸上色収差、倍率色収差が大きくなってしまい、逆に、下限を外れると、補正過剰になって軸上色収差、倍率色収差が増大してしまって良好な光学性能を維持できなくなってしまう。
【００１９】
このように撮像レンズでは、条件式（１）及び条件式（２）を満足することにより、メガピクセル以上の高画素化撮像素子に対して広角化に伴う収差の発生を抑えながら、レンズ系全長を短縮化し得るようになされている。
【００２０】
また、撮像レンズでは、以下の条件式（３）を満足するように構成されている。
（３）０．６＜ｆ３／ｆ＜１．５
但し、
ｆ：レンズ全系の焦点距離
ｆ３：第３レンズの焦点距離
とする。
【００２１】
従って、撮像レンズにおいては、条件式（３）における規定値の上限を外れると、第３レンズのパワーが弱くなり過ぎてしまい、第２レンズで発生した収差を補正し切れなくなってしまう。
【００２２】
また撮像レンズでは、条件式（３）における規定値の下限を外れると、第３レンズのパワーが強くなり過ぎてしまい、それに伴って第２レンズのパワーも強くなり、製造敏感度が高くなってしまうと共に、第２レンズで発生したコマ収差、非点収差、像面湾曲を補正できなくなってしまう。
【００２３】
すなわち撮像レンズでは、条件式（３）を満足することにより、製造敏感度を上げることなく、収差の発生を効果的に抑制し得るようになされている。
【００２４】
さらに、撮像レンズの第１レンズ及び第２レンズは、物体側又は像側の少なくとも１面が非球面形状に形成され、第３レンズ及び上記第４レンズは物体側及び像側の両方の面が非球面形状に形成されている。
【００２５】
これにより撮像レンズでは、特に軸外で発生するコマ収差、像面湾曲、歪曲収差を効果的に補正し得るようになされている。
【００２６】
さらに、撮像レンズでは、第４レンズが以下の条件式（４）を満足するように構成されている。
（４）ν２＞５０
但し、
ν２：第４レンズのｄ線（波長５８７．６ｎｍ）におけるアッベ数
とする。
【００２７】
条件式（４）は、第４レンズのアッベ数を規定するものであり、この規定値を下回ると、倍率色収差を補正できなくなってしまう。
【００２８】
このように撮像レンズでは、条件式（３）及び条件式（４）を満足することにより、製造敏感度を上げることなく、収差の発生を抑え得るようになされている。
【００２９】
また、本発明の撮像装置においては、撮像レンズと、当該撮像レンズによって形成された光学像を電気的信号に変換する撮像素子とを具え、
撮像レンズは、
物体側から順に、正の屈折力を有する第１レンズと、
光量の調節を行う開口絞りと、
物体側に凹面を向けた負の屈折力を有する第２レンズと、
物体側に凹面を向けた正の屈折力を有する第３レンズと、
負の屈折力を有する第４レンズと
を具え、
以下の条件式（１）及び条件式（２）を満足するように構成されている。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【００３０】
これにより本発明の撮像装置における撮像レンズにおいては、開口絞りを第１レンズと第２レンズとの間に配置しているため、開口絞りを物体側の一番前に配置する場合に比べて、屈折力の強い第１レンズ及び第２レンズにおける光線の通る光軸からの像高が低くなり、製造敏感度を低減して光学性能の向上を図ることが出来ると共に、開口絞りの絞り位置を光学系の前方寄りに極力配置して射出瞳を前方に位置させることによりレンズ全系の全長を短縮化することができる。
【００３１】
また本発明の撮像装置における撮像レンズにおいては、第２レンズの形状が物体側に凹形状となっていることにより、当該第２レンズに対する光線の入射角を小さく出来るので、撮像レンズの広角化に対しても収差の発生を抑制することができる。
【００３２】
条件式（１）は、レンズ全系の焦点距離ｆと、第２レンズの焦点距離ｆ２との比を規定するものであり、第２レンズの屈折力を制限している。従って本発明の撮像装置における撮像レンズでは、条件式（１）の規定値を外れると、軸外収差（特にコマ収差）と像面湾曲の補正が困難になる。
【００３３】
このように本発明の撮像装置における撮像レンズでは、条件式（１）を満足することにより、軸中心付近ではなく、特に軸外からの光線によって発生する収差を効果的に補正し得るようになされている。
【００３４】
また本発明の撮像装置における撮像レンズでは、レンズ全系の全長短縮及び広角化を行ううえで、条件式（１）のように第２レンズのパワーを規定することにより、当該第２レンズの製造感度をある程度低く抑え得るようになされている。
【００３５】
また条件式（２）は、第２レンズのアッベ数に関する条件を示しており、当該アッベ数がこの条件範囲内に入るようにすることにより、本発明の撮像装置における撮像レンズの広角化に伴って発生する倍率色収差、軸上色収差を効果的に補正するものである。
【００３６】
この撮像装置の撮像レンズでは、条件式（２）の上限を外れると、軸上色収差、倍率色収差が大きくなってしまい、逆に、下限を外れると、補正過剰になって軸上色収差、倍率色収差が増大してしまって良好な光学性能を維持できなくなってしまう。
【００３７】
このように本発明の撮像装置の撮像レンズでは、条件式（１）及び条件式（２）を満足することにより、メガピクセル以上の高画素化撮像素子に対して広角化に伴う収差の発生を抑えながら、レンズ系全長を短縮化し得るようになされている。
【００３８】
従って、本発明の撮像装置においては、撮像レンズにおける開口絞りを第１レンズと第２レンズとの間に配置しているため、製造敏感度を低減して光学性能の向上を図ることが出来ると共に、撮像素子の高画素化に対して広角化に伴う収差の発生を抑えながら、レンズ系全長を短縮化することができるので、良好な光学性能を有すると共に一段と小型化することができる。
【発明の効果】
【００３９】
本発明の撮像レンズは、物体側から順に、正の屈折力を有する第１レンズと、光量の調節を行う開口絞りと、物体側に凹面を向けた負の屈折力を有する第２レンズと、物体側に凹面を向けた正の屈折力を有する第３レンズと、負の屈折力を有する第４レンズとを具え、以下の条件式（１）及び条件式（２）を満足するように構成されている。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【００４０】
従って、撮像レンズにおいては、開口絞りを第１レンズと第２レンズとの間に配置しているため、製造敏感度の低下による光学性能の向上を図ることが出来ると共に、撮像素子の高画素化に対して広角化に伴う収差の発生を抑えながら、レンズ系全長を短縮化し得るようになされている。
【００４１】
また、本発明の撮像装置は、撮像レンズと、当該撮像レンズによって形成された光学像を電気的信号に変換する撮像素子とを具え、
撮像レンズは、
物体側から順に、正の屈折力を有する第１レンズと、
光量の調節を行う開口絞りと、
物体側に凹面を向けた負の屈折力を有する第２レンズと、
物体側に凹面を向けた正の屈折力を有する第３レンズと、
負の屈折力を有する第４レンズと
を具え、
以下の条件式（１）及び条件式（２）を満足するように構成されている。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【００４２】
従って、撮像装置においては、撮像レンズにおける開口絞りを第１レンズと第２レンズとの間に配置しているため、製造敏感度を低減して光学性能の向上を図ることが出来ると共に、撮像素子の高画素化に対して広角化に伴う収差の発生を抑えながら、レンズ系全長を短縮化することができるので、良好な光学性能を有しながら一段と小型化することができる。
【発明を実施するための最良の形態】
【００４３】
以下、本発明の撮像レンズ及び撮像装置を実施する一実施の形態を詳述する。
【００４４】
〔１〕撮像レンズの構成
本発明の撮像レンズは、物体側から順に、物体側に凸面を向けたメニスカス形状の正の屈折力を有する第１レンズと、開口絞りと、物体側に凹面を向けた負の屈折力を有する第２レンズと、物体側に凹面を向けた正の屈折力を有する第３レンズと、物体側に凸面を向けた負の屈折力を有する第４レンズとによって構成されている。
【００４５】
ここで、本発明の撮像レンズにおいては、第１レンズ乃至第４レンズの全てがプラスチックで構成されており、第１レンズがポリオレフィン系又はアクリル系、第２レンズがポリカーボネート系又はポリエステル系、第３レンズがポリオレフィン系又はアクリル系、第４レンズがポリオレフィン系又はアクリル系である。
【００４６】
このような構成を有する撮像レンズでは、メガピクセル以上の高画素撮像素子に対応した良好な光学性能を有し、開口絞りを物体側の一番前に配置することなく、第１レンズと第２レンズとの間に配置するようにした。
【００４７】
これにより、この撮像レンズでは、開口絞りを物体側の一番前に配置したときに比べて、屈折力の強い第１レンズ及び第２レンズにおける光線が通る光軸からの高さを低くすることができるため、製造敏感度を低減し得るようになされている。
【００４８】
また、この撮像レンズは、開口絞りをなるべく光学系の前方寄りの位置（第１レンズと第２レンズとの間）に配置するようにしたことにより、射出瞳位置が前方寄りになってレンズ系全長を短縮化し得るようになされている。
【００４９】
すなわち、この撮像レンズでは、開口絞りを第１レンズと第２レンズとの間に配置することにより、製造敏感度を少しでも低減しながら、レンズ系全長を極力短縮化し得るようになされている。
【００５０】
また、撮像レンズでは、第２レンズが物体側に凹面を向けた形状を有していることにより、当該第２レンズに対する光線の入射角が小さくなって、当該撮像レンズの広角化に伴う収差の発生を抑えることが出来るようになされている。
【００５１】
また、この撮像レンズは、以下の条件式（１）及び条件式（２）を満足するように構成されている。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【００５２】
条件式（１）は、レンズ全系の焦点距離ｆと、第２レンズの焦点距離ｆ２との比を規定するものであり、第２レンズの屈折力を制限している。この撮像レンズでは、条件式（１）の規定値を外れると、軸外収差（特にコマ収差）と像面湾曲の補正が困難になる。
【００５３】
このように撮像レンズでは、条件式（１）を満足することにより、軸中心付近ではなく、特に軸外からの光線によって発生する収差を効果的に補正し得るようになされている。
【００５４】
また撮像レンズでは、レンズ全系の全長短縮及び広角化を行ううえで、条件式（１）のように第２レンズのパワーを規定することにより、当該第２レンズの製造感度をある程度低く抑え得るようになされている。
【００５５】
条件式（２）は、第２レンズのアッベ数に関する条件を示しており、当該アッベ数がこの条件範囲内に入るようにすることにより、撮像レンズの広角化に伴って発生する倍率色収差、軸上色収差を効果的に補正するものである。
【００５６】
この撮像レンズでは、条件式（２）の上限を外れると、軸上色収差、倍率色収差が大きくなってしまい、逆に、下限を外れると、補正過剰になって軸上色収差、倍率色収差が増大してしまって良好な光学性能を維持できなくなってしまう。
【００５７】
このように撮像レンズでは、条件式（１）及び条件式（２）を満足することにより、メガピクセル以上の高画素化撮像素子に対して広角化に伴う収差の発生を抑えながら、レンズ系全長を短縮化し得るようになされている。
【００５８】
さらに、この撮像レンズは、以下の条件式（３）を満足するように構成されている。
（３）０．３５＜ｆ３／ｆ＜１．５
但し、
ｆ３：第３レンズの焦点距離
とする。
【００５９】
条件式（３）は、第３レンズのパワー（屈折力）を規定するものである。この撮像レンズでは、条件式（３）における規定値の上限を外れると、第３レンズのパワーが弱くなり過ぎてしまい、第２レンズで発生した収差を補正し切れなくなってしまう。
【００６０】
また撮像レンズでは、条件式（３）における規定値の下限を外れると、第３レンズのパワーが強くなり過ぎてしまい、それに伴って第２レンズのパワーも強くなり、製造敏感度が高くなってしまうと共に、第２レンズで発生したコマ収差、非点収差、像面湾曲を補正できなくなってしまう。
【００６１】
すなわち撮像レンズでは、条件式（３）を満足することにより、製造敏感度を上げることなく、収差の発生を効果的に抑制し得るようになされている。
【００６２】
また、この撮像レンズにおける第１レンズ及び第２レンズは、物体側及び像側の少なくとも１面が非球面形状であり、第３レンズ及び第４レンズは物体側及び像側の両面が非球面形状であることを特徴としている。これにより撮像レンズは、特に軸外で発生するコマ収差、像面湾曲、歪曲収差を効果的に補正し得るようになされている。
【００６３】
なお、撮像レンズでは、第１レンズの両面を非球面形状にすることにより、当該第１レンズを介して球面収差を効果的に補正し得、また第２レンズの両面を非球面形状にすることにより、非点収差、像面湾曲及びコマ収差を効果的に補正し得るようになされている。
【００６４】
因みに撮像レンズでは、第１レンズ及び第２レンズの両面を非球面形状にする場合、製造難易度が上がってしまうため、できるだけ物体側及び像側の何れか１面だけを非球面形状にすることが望ましい。
【００６５】
但し、撮像レンズでは、広角化に伴って発生するコマ収差、球面収差、非点収差、像面湾曲、歪曲収差を補正するために両面を非球面にすることが理想的である。
【００６６】
さらに、この撮像レンズは、以下の条件式（４）を満足するように構成されている。
（４）ν４＞５０
但し、
ν４：第４レンズのｄ線（波長５８７．６ｎｍ）におけるアッベ数
とする。
【００６７】
条件式（４）は、第４レンズのアッベ数を規定するものであり、この規定値を下回ると、倍率色収差を補正できなくなってしまう。
【００６８】
このように撮像レンズでは、条件式（３）及び条件式（４）を満足することにより、製造敏感度を上げることなく、収差の発生を効果的に抑制し得るようになされている。
【００６９】
かくして本発明においては、メガピクセル以上の高画素化された撮像素子に対応した良好な光学性能を有し、画角の広角化による光学性能の低下が少ない、レンズ系全長の一段と短い小型の撮像レンズを構成し得るようになされている。
【００７０】
〔２〕数値実施例
次に、本発明の撮像レンズに対して具体的な数値を適用した数値実施例について、以下、図面及び図表を用いて説明する。なお、数値実施例において使用する記号の意味は、次の通りである。
【００７１】
「ＦＮｏ」はＦナンバー、「ｆ」はレンズ系全体の焦点距離、「２ω」は対角の全画角、「Ｓｉ」は物体側から数えてｉ番目の面番号、「Ｒｉ」は第ｉ番目の面の曲率半径、「ｄｉ」は物体側からｉ番目の面とｉ＋１番目の面との間の軸上面間隔、「ｎｉ」は第ｉレンズのｄ線（波長５８７．６ｎｍ）における屈折率、「νｉ」は第ｉレンズのｄ線（波長５８７．６ｎｍ）におけるアッベ数である。
【００７２】
面番号に関して「ＡＳＰ」は当該面が非球面であることを示し、曲率半径に関して「∞」は当該面が平面であることを示している。
【００７３】
各数値実施例において用いられたレンズには、レンズ面が非球面形状に形成されたものがあり、その非球面形状は、非球面の深さを「Ｚ」、光軸からの高さを「Ｙ」、曲率半径を「Ｒ」、円錐定数を「Ｋ」、４次、６次、８次及び１０次の非球面係数をそれぞれ「Ａ」、「Ｂ」、「Ｃ」及び「Ｄ」とすると、次式の数１によって定義される。
【００７４】
【数１】
2010026387.tif 000003
【００７５】
〔２−１〕第１数値実施例
図１において、１は全体として第１数値実施例における撮像レンズを示し、４枚のレンズを有する構成である。
【００７６】
撮像レンズ１は、物体側から順に、物体側に凸面を向けたメニスカス形状の正の屈折力を有する第１レンズＧ１と、開口絞りＳと、物体側に凹面を向けた負の屈折力を有する第２レンズＧ２と、物体側に凹面を向けた正の屈折力を有する第３レンズＧ３と、物体側に凸面を向けた負の屈折力を有する第４レンズＧ４とによって構成されている。
【００７７】
ここで、撮像レンズ１においては、第１レンズＧ１乃至第４レンズＧ４の全てがプラスチックで構成されており、第１レンズＧ１がポリオレフィン系又はアクリル系、第２レンズＧ２がポリカーボネート系又はポリエステル系、第３レンズＧ３がポリオレフィン系又はアクリル系、第４レンズＧ４がポリオレフィン系又はアクリル系である。
【００７８】
このような構成を有する撮像レンズ１では、メガピクセル以上の高画素撮像素子に対応した良好な光学性能を有し、開口絞りＳを物体側の一番前に配置することなく、第１レンズＧ１と第２レンズＧ２との間に配置するようにした。
【００７９】
これにより、この撮像レンズ１では、開口絞りＳを物体側の一番前に配置したときに比べて、屈折力の強い第１レンズＧ１及び第２レンズＧ２における光線が通る光軸からの高さを低くすることができるため、製造敏感度を低減し得るようになされている。
【００８０】
また、この撮像レンズ１は、開口絞りＳをなるべく光学系の前方寄りの位置（第１レンズＧ１と第２レンズＧ２との間）に配置するようにしたことにより、射出瞳位置が前方寄りになってレンズ系全長を短縮化し得るようになされている。
【００８１】
すなわち、この撮像レンズ１では、開口絞りＳを第１レンズＧ１と第２レンズＧ２との間に配置することにより、製造敏感度を少しでも低減しながら、レンズ系全長を極力短くし得るようになされている。
【００８２】
また、撮像レンズ１では、第２レンズＧ２が物体側に凹面を向けた形状を有していることにより、当該第２レンズＧ２に対する光線の入射角が小さくなって広角化に伴う収差の発生を抑えることが出来るようになされている。
【００８３】
なお撮像レンズ１は、第４レンズＧ４と像面ＩＭＧとの間に、当該像面ＩＭＧを保護するためのシールガラスＳＧが配置されている。
【００８４】
このように撮像レンズ１では、上述したようなレンズエレメント構成とすることによって、製造敏感度を低減しながらレンズ系全長を短縮化し、かつ広角化に伴う諸収差を良好に補正し得るようになされている。
【００８５】
表１に、第１数値実施例の撮像レンズ１に具体的数値を適用したときのレンズデータを、ＦナンバーＦＮｏ、レンズ系全長の焦点距離ｆ及び画角２ωと共に示す。
【００８６】
【表１】
2010026387.tif 000004
【００８７】
この撮像レンズ１においては、第１レンズＧ１における物体側の面（Ｒ１）、第１レンズＧ１における像側の面（Ｒ２）、第２レンズＧ２における物体側の面（Ｒ４）、第２レンズＧ２における像側の面（Ｒ５）、第３レンズＧ３における物体側の面（Ｒ６）、第３レンズＧ３における像側の面（Ｒ７）、第４レンズＧ４における物体側の面（Ｒ８）、第４レンズＧ４における像側の面（Ｒ９）が非球面形状に形成されている。
【００８８】
続いて、第１数値実施例の撮像レンズ１における非球面の４次、６次、８次及び１０次の非球面係数「Ａ」、「Ｂ」、「Ｃ」及び「Ｄ」を円錐係数「Ｋ」と共に、表２に示す。なお、表２において、「Ｅ−０１」は１０を底とする指数表現、即ち「１０−１」を表しており、例えば「０．１２３４５Ｅ−０５」は「０．１２３４５×１０−５」を表している。
【００８９】
【表２】
2010026387.tif 000005
【００９０】
次に、第１数値実施例の撮像レンズ１における諸収差を図２に示す。この非点収差図では、実線でサジタル像面における値を示し、破線でメリディオナル像面における値を示す。
【００９１】
この図２における諸収差図（球面収差図、非点収差図及び歪曲収差図）から、第１数値実施例の撮像レンズ１では諸収差が良好に補正され、優れた結像性能を有していることが分かる。
【００９２】
〔２−２〕第２数値実施例
図１との対応部分に同一符号を付した図３において、２０は全体として第２数値実施例における撮像レンズを示し、この場合も４枚のレンズを有する構成である。
【００９３】
この撮像レンズ２０は、物体側から順に、物体側に凸面を向けたメニスカス形状の正の屈折力を有する第１レンズＧ２１と、開口絞りＳと、物体側に凹面を向けた負の屈折力を有する第２レンズＧ２２と、物体側に凹面を向けた正の屈折力を有する第３レンズＧ２３と、物体側に凸面を向けた負の屈折力を有する第４レンズＧ２４とによって構成されている。
【００９４】
ここで、撮像レンズ２０においても、第１レンズＧ２１乃至第４レンズＧ２４の全てがプラスチックで構成されており、第１レンズＧ２１がポリオレフィン系又はアクリル系、第２レンズＧ２２がポリカーボネート系又はポリエステル系、第３レンズＧ２３がポリオレフィン系又はアクリル系、第４レンズＧ２４がポリオレフィン系又はアクリル系である。
【００９５】
このような構成を有する撮像レンズ２０では、メガピクセル以上の高画素撮像素子に対応した良好な光学性能を有し、開口絞りＳを物体側の一番前に配置することなく、第１レンズＧ２１と第２レンズＧ２２との間に配置するようにした。
【００９６】
これにより、この撮像レンズ２０では、開口絞りＳを物体側の一番前に配置したときに比べて、屈折力の強い第１レンズＧ２１及び第２レンズＧ２２における光線が通る光軸からの高さを低くすることができるため、製造敏感度を低減し得るようになされている。
【００９７】
また、この撮像レンズ２０は、開口絞りＳをなるべく光学系の前方寄りの位置（第１レンズＧ２１と第２レンズＧ２２との間）に配置するようにしたことにより、射出瞳位置が前方寄りになってレンズ系全長を短縮化し得るようになされている。
【００９８】
すなわち、この撮像レンズ２０では、開口絞りＳを第１レンズＧ２１と第２レンズＧ２２との間に配置することにより、製造敏感度を少しでも低減しながら、レンズ系全長を極力短くし得るようになされている。
【００９９】
また、撮像レンズ２０では、第２レンズＧ２２が物体側に凹面を向けた形状を有していることにより、当該第２レンズＧ２２に対する光線の入射角が小さくなって広角化に伴う収差の発生を抑えることが出来るようになされている。
【０１００】
なお撮像レンズ２０は、第４レンズＧ２４と像面ＩＭＧとの間に、当該像面ＩＭＧを保護するためのシールガラスＳＧが配置されている。
【０１０１】
このように撮像レンズ２０では、上述したようなレンズエレメント構成とすることによって、製造敏感度を低減しながらレンズ系全長を短縮化し、かつ諸収差を良好に補正し得るようになされている。
【０１０２】
表３に、第２数値実施例の撮像レンズ２０に具体的数値を適用したときのレンズデータを、ＦナンバーＦＮｏ、レンズ系全長の焦点距離ｆ及び画角２ωと共に示す。
【０１０３】
【表３】
2010026387.tif 000006
【０１０４】
この撮像レンズ２０においては、第１レンズＧ２１における物体側の面（Ｒ１）、第１レンズＧ２１における像側の面（Ｒ２）、第２レンズＧ２２における物体側の面（Ｒ４）、第２レンズＧ２２における像側の面（Ｒ５）、第３レンズＧ２３における物体側の面（Ｒ６）、第３レンズＧ２３における像側の面（Ｒ７）、第４レンズＧ２４における物体側の面（Ｒ８）、第４レンズＧ２４における像側の面（Ｒ９）が非球面形状に形成されている。
【０１０５】
続いて、第２数値実施例の撮像レンズ２０における非球面の４次、６次、８次及び１０次の非球面係数「Ａ」、「Ｂ」、「Ｃ」及び「Ｄ」を円錐係数「Ｋ」と共に、表４に示す。なお、表４において、「Ｅ−０１」は１０を底とする指数表現、即ち「１０−１」を表しており、例えば「０．１２３４５Ｅ−０５」は「０．１２３４５×１０−５」を表している。
【０１０６】
【表４】
2010026387.tif 000007
【０１０７】
次に、第２数値実施例の撮像レンズ２０における諸収差を図４に示す。この非点収差図においても、実線でサジタル像面における値を示し、破線でメリディオナル像面における値を示す。
【０１０８】
この図４における諸収差図（球面収差図、非点収差図及び歪曲収差図）から、第２数値実施例の撮像レンズ２０においても諸収差が良好に補正され、優れた結像性能を有していることが分かる。
【０１０９】
〔２−３〕第３数値実施例
図１との対応部分に同一符号を付した図５において、３０は全体として第３数値実施例における撮像レンズを示し、この場合も４枚のレンズを有する構成である。
【０１１０】
この撮像レンズ３０は、物体側から順に、物体側に凸面を向けたメニスカス形状の正の屈折力を有する第１レンズＧ３１と、開口絞りＳと、物体側に凹面を向けた負の屈折力を有する第２レンズＧ３２と、物体側に凹面を向けた正の屈折力を有する第３レンズＧ３３と、物体側に凸面を向けた負の屈折力を有する第４レンズＧ３４とによって構成されている。
【０１１１】
ここで、撮像レンズ３０においても、第１レンズＧ３１乃至第４レンズＧ３４の全てがプラスチックで構成されており、第１レンズＧ３１がポリオレフィン系又はアクリル系、第２レンズＧ３２がポリカーボネート系又はポリエステル系、第３レンズＧ３３がポリオレフィン系又はアクリル系、第４レンズＧ３４がポリオレフィン系又はアクリル系である。
【０１１２】
このような構成を有する撮像レンズ３０では、メガピクセル以上の高画素撮像素子に対応した良好な光学性能を有し、開口絞りＳを物体側の一番前に配置することなく、第１レンズＧ３１と第２レンズＧ３２との間に配置するようにした。
【０１１３】
これにより、この撮像レンズ３０では、開口絞りＳを物体側の一番前に配置したときに比べて、屈折力の強い第１レンズＧ３１及び第２レンズＧ３２における光線が通る光軸からの高さを低くすることができるため、製造敏感度を低減し得るようになされている。
【０１１４】
また、この撮像レンズ３０は、開口絞りＳをなるべく光学系の前方寄りの位置（第１レンズＧ３１と第２レンズＧ３２との間）に配置するようにしたことにより、射出瞳位置が前方寄りになってレンズ系全長を短縮化し得るようになされている。
【０１１５】
すなわち、この撮像レンズ３０では、開口絞りＳを第１レンズＧ３１と第２レンズＧ３２との間に配置することにより、製造敏感度を少しでも低減しながら、レンズ系全長を極力短くし得るようになされている。
【０１１６】
また、撮像レンズ３０では、第２レンズＧ３２が物体側に凹面を向けた形状を有していることにより、当該第２レンズＧ３２に対する光線の入射角が小さくなって収差の発生を抑えることが出来るようになされている。
【０１１７】
なお撮像レンズ３０は、第４レンズＧ３４と像面ＩＭＧとの間に、当該像面ＩＭＧを保護するためのシールガラスＳＧが配置されている。
【０１１８】
このように撮像レンズ３０では、上述したようなレンズエレメント構成とすることによって、製造敏感度を低減しながらレンズ系全長を短縮化し、かつ諸収差を良好に補正し得るようになされている。
【０１１９】
表５に、第３数値実施例の撮像レンズ３０に具体的数値を適用したときのレンズデータを、ＦナンバーＦＮｏ、レンズ系全長の焦点距離ｆ及び画角２ωと共に示す。
【０１２０】
【表５】
2010026387.tif 000008
【０１２１】
この撮像レンズ３０においては、第１レンズＧ３１における物体側の面（Ｒ１）、第２レンズＧ３２における物体側の面（Ｒ４）、第３レンズＧ３３における物体側の面（Ｒ６）、第３レンズＧ３３における像側の面（Ｒ７）、第４レンズＧ３４における物体側の面（Ｒ８）、第４レンズＧ３４における像側の面（Ｒ９）が非球面形状に形成されている。
【０１２２】
これに対して撮像レンズ３０においては、第１レンズＧ３１における像側の面（Ｒ２）、第２レンズＧ３２における像側の面（Ｒ５）が球面形状に形成されている。
【０１２３】
続いて、第３数値実施例の撮像レンズ３０における非球面の４次、６次、８次及び１０次の非球面係数「Ａ」、「Ｂ」、「Ｃ」及び「Ｄ」を円錐係数「Ｋ」と共に、表６に示す。なお、表６において、「Ｅ−０１」は１０を底とする指数表現、即ち「１０−１」を表しており、例えば「０．１２３４５Ｅ−０５」は「０．１２３４５×１０−５」を表している。
【０１２４】
【表６】
2010026387.tif 000009
【０１２５】
次に、第３数値実施例の撮像レンズ３０における諸収差を図６に示す。この非点収差図においても、実線でサジタル像面における値を示し、破線でメリディオナル像面における値を示す。
【０１２６】
この図６における諸収差図（球面収差図、非点収差図及び歪曲収差図）から、第３数値実施例の撮像レンズ３０においても諸収差が良好に補正され、優れた結像性能を有していることが分かる。
【０１２７】
〔２−４〕第４数値実施例
図１との対応部分に同一符号を付した図７において、４０は全体として第４数値実施例における撮像レンズを示し、この場合も４枚のレンズを有する構成である。
【０１２８】
この撮像レンズ４０は、物体側から順に、物体側に凸面を向けたメニスカス形状の正の屈折力を有する第１レンズＧ４１と、開口絞りＳと、物体側に凹面を向けた負の屈折力を有する第２レンズＧ４２と、物体側に凹面を向けた正の屈折力を有する第３レンズＧ４３と、物体側に凸面を向けた負の屈折力を有する第４レンズＧ４４とによって構成されている。
【０１２９】
ここで、撮像レンズ４０においても、第１レンズＧ４１乃至第４レンズＧ４４の全てがプラスチックで構成されており、第１レンズＧ４１がポリオレフィン系又はアクリル系、第２レンズＧ４２がポリカーボネート系又はポリエステル系、第３レンズＧ４３がポリオレフィン系又はアクリル系、第４レンズＧ４４がポリオレフィン系又はアクリル系である。
【０１３０】
このような構成を有する撮像レンズ４０では、メガピクセル以上の高画素撮像素子に対応した良好な光学性能を有し、開口絞りＳを物体側の一番前に配置することなく、第１レンズＧ４１と第２レンズＧ４２との間に配置するようにした。
【０１３１】
これにより、この撮像レンズ４０では、開口絞りＳを物体側の一番前に配置したときに比べて、屈折力の強い第１レンズＧ４１及び第２レンズＧ４２における光線が通る光軸からの高さを低くすることができるため、製造敏感度を低減し得るようになされている。
【０１３２】
また、この撮像レンズ４０は、開口絞りＳをなるべく光学系の前方寄りの位置（第１レンズＧ４１と第２レンズＧ４２との間）に配置するようにしたことにより、射出瞳位置が前方寄りになってレンズ系全長を短縮化し得るようになされている。
【０１３３】
すなわち、この撮像レンズ４０では、開口絞りＳを第１レンズＧ４１と第２レンズＧ４２との間に配置することにより、製造敏感度を少しでも低減しながら、レンズ系全長を極力短くし得るようになされている。
【０１３４】
また、撮像レンズ４０では、第２レンズＧ４２が物体側に凹面を向けた形状を有していることにより、当該第２レンズＧ４２に対する光線の入射角が小さくなって広角化に伴う収差の発生を抑えることが出来るようになされている。
【０１３５】
なお撮像レンズ４０は、第４レンズＧ４４と像面ＩＭＧとの間に、当該像面ＩＭＧを保護するためのシールガラスＳＧが配置されている。
【０１３６】
このように撮像レンズ４０では、上述したようなレンズエレメント構成とすることによって、製造敏感度を低減しながらレンズ系全長を短縮化し、かつ諸収差を良好に補正し得るようになされている。
【０１３７】
表７に、第４数値実施例の撮像レンズ４０に具体的数値を適用したときのレンズデータを、ＦナンバーＦＮｏ、レンズ系全長の焦点距離ｆ及び画角２ωと共に示す。
【０１３８】
【表７】
2010026387.tif 000010
【０１３９】
この撮像レンズ４０においては、第１レンズＧ４１における物体側の面（Ｒ１）、第１レンズＧ４１における像側の面（Ｒ２）、第２レンズＧ４２における物体側の面（Ｒ４）、第２レンズＧ４２における像側の面（Ｒ５）、第３レンズＧ４３における物体側の面（Ｒ６）、第３レンズＧ４３における像側の面（Ｒ７）、第４レンズＧ４４における物体側の面（Ｒ８）、第４レンズＧ４４における像側の面（Ｒ９）が非球面形状に形成されている。
【０１４０】
続いて、第４数値実施例の撮像レンズ４０における非球面の４次、６次、８次及び１０次の非球面係数「Ａ」、「Ｂ」、「Ｃ」及び「Ｄ」を円錐係数「Ｋ」と共に、表８に示す。なお、表８において、「Ｅ−０１」は１０を底とする指数表現、即ち「１０−１」を表しており、例えば「０．１２３４５Ｅ−０５」は「０．１２３４５×１０−５」を表している。
【０１４１】
【表８】
2010026387.tif 000011
【０１４２】
次に、第４数値実施例の撮像レンズ４０における諸収差を図８に示す。この非点収差図においても、実線でサジタル像面における値を示し、破線でメリディオナル像面における値を示す。
【０１４３】
この図８における諸収差図（球面収差図、非点収差図及び歪曲収差図）から、第４数値実施例の撮像レンズ４０においても諸収差が良好に補正され、優れた結像性能を有していることが分かる。
【０１４４】
〔２−５〕第５数値実施例
図１との対応部分に同一符号を付した図９において、５０は全体として第５数値実施例における撮像レンズを示し、この場合も４枚のレンズを有する構成である。
【０１４５】
この撮像レンズ５０は、物体側から順に、物体側に凸面を向けたメニスカス形状の正の屈折力を有する第１レンズＧ５１と、開口絞りＳと、物体側に凹面を向けた負の屈折力を有する第２レンズＧ５２と、物体側に凹面を向けた正の屈折力を有する第３レンズＧ５３と、物体側に凸面を向けた負の屈折力を有する第４レンズＧ５４とによって構成されている。
【０１４６】
ここで、撮像レンズ５０においても、第１レンズＧ５１乃至第４レンズＧ５４の全てがプラスチックで構成されており、第１レンズＧ５１がポリオレフィン系又はアクリル系、第２レンズＧ５２がポリカーボネート系又はポリエステル系、第３レンズＧ５３がポリオレフィン系又はアクリル系、第４レンズＧ５４がポリオレフィン系又はアクリル系である。
【０１４７】
このような構成を有する撮像レンズ５０では、メガピクセル以上の高画素撮像素子に対応した良好な光学性能を有し、開口絞りＳを物体側の一番前に配置することなく、第１レンズＧ５１と第２レンズＧ５２との間に配置するようにした。
【０１４８】
これにより、この撮像レンズ５０では、開口絞りＳを物体側の一番前に配置したときに比べて、屈折力の強い第１レンズＧ５１及び第２レンズＧ５２における光線が通る光軸からの高さを低くすることができるため、製造敏感度を低減し得るようになされている。
【０１４９】
また、この撮像レンズ５０は、開口絞りＳをなるべく光学系の前方寄りの位置（第１レンズＧ５１と第２レンズＧ５２との間）に配置するようにしたことにより、射出瞳位置が前方寄りになってレンズ系全長を短縮化し得るようになされている。
【０１５０】
すなわち、この撮像レンズ５０では、開口絞りＳを第１レンズＧ５１と第２レンズＧ５２との間に配置することにより、製造敏感度を少しでも低減しながら、レンズ系全長を極力短くし得るようになされている。
【０１５１】
また、撮像レンズ５０では、第２レンズＧ５２が物体側に凹面を向けた形状を有していることにより、当該第２レンズＧ５２に対する光線の入射角が小さくなって広角化に伴う収差の発生を抑えることが出来るようになされている。
【０１５２】
なお撮像レンズ５０は、第４レンズＧ５４と像面ＩＭＧとの間に、当該像面ＩＭＧを保護するためのシールガラスＳＧが配置されている。
【０１５３】
このように撮像レンズ５０では、上述したようなレンズエレメント構成とすることによって、製造敏感度を低減しながらレンズ系全長を短縮化し、かつ諸収差を良好に補正し得るようになされている。
【０１５４】
表９に、第５数値実施例の撮像レンズ５０に具体的数値を適用したときのレンズデータを、ＦナンバーＦＮｏ、レンズ系全長の焦点距離ｆ及び画角２ωと共に示す。
【０１５５】
【表９】
2010026387.tif 000012
【０１５６】
この撮像レンズ５０においては、第１レンズＧ５１における物体側の面（Ｒ１）、第１レンズＧ５１における像側の面（Ｒ２）、第２レンズＧ５２における物体側の面（Ｒ４）、第２レンズＧ５２における像側の面（Ｒ５）、第３レンズＧ５３における物体側の面（Ｒ６）、第３レンズＧ５３における像側の面（Ｒ７）、第４レンズＧ５４における物体側の面（Ｒ８）、第４レンズＧ５４における像側の面（Ｒ９）が非球面に形成されている。
【０１５７】
続いて、第５数値実施例の撮像レンズ５０における非球面の４次、６次、８次及び１０次の非球面係数「Ａ」、「Ｂ」、「Ｃ」及び「Ｄ」を円錐係数「Ｋ」と共に、表１０に示す。なお、表１０において、「Ｅ−０１」は１０を底とする指数表現、即ち「１０−１」を表しており、例えば「０．１２３４５Ｅ−０５」は「０．１２３４５×１０−５」を表している。
【０１５８】
【表１０】
2010026387.tif 000013
【０１５９】
次に、第５数値実施例の撮像レンズ５０における諸収差を図１０に示す。この非点収差図においても、実線でサジタル像面における値を示し、破線でメリディオナル像面における値を示す。
【０１６０】
この図１０における諸収差図（球面収差図、非点収差図及び歪曲収差図）から、第５数値実施例の撮像レンズ５０においても諸収差が良好に補正され、優れた結像性能を有していることが分かる。
【０１６１】
〔２−６〕第６数値実施例
図１との対応部分に同一符号を付した図１１において、６０は全体として第６数値実施例における撮像レンズを示し、この場合も４枚のレンズを有する構成である。
【０１６２】
この撮像レンズ６０は、物体側から順に、物体側に凸面を向けたメニスカス形状の正の屈折力を有する第１レンズＧ６１と、開口絞りＳと、物体側に凹面を向けた負の屈折力を有する第２レンズＧ６２と、物体側に凹面を向けた正の屈折力を有する第３レンズＧ６３と、物体側に凸面を向けた負の屈折力を有する第４レンズＧ６４とによって構成されている。
【０１６３】
ここで、撮像レンズ６０においても、第１レンズＧ６１乃至第４レンズＧ６４の全てがプラスチックで構成されており、第１レンズＧ６１がポリオレフィン系又はアクリル系、第２レンズＧ６２がポリカーボネート系又はポリエステル系、第３レンズＧ６３がポリオレフィン系又はアクリル系、第４レンズＧ６４がポリオレフィン系又はアクリル系である。
【０１６４】
このような構成を有する撮像レンズ６０では、メガピクセル以上の高画素撮像素子に対応した良好な光学性能を有し、開口絞りＳを物体側の一番前に配置することなく、第１レンズＧ６１と第２レンズＧ６２との間に配置するようにした。
【０１６５】
これにより、この撮像レンズ６０では、開口絞りＳを物体側の一番前に配置したときに比べて、屈折力の強い第１レンズＧ６１及び第２レンズＧ６２における光線が通る光軸からの高さを低くすることができるため、製造敏感度を低減し得るようになされている。
【０１６６】
また、この撮像レンズ６０は、開口絞りＳをなるべく光学系の前方寄りの位置（第１レンズＧ６１と第２レンズＧ６２との間）に配置するようにしたことにより、射出瞳位置が前方寄りになってレンズ系全長を短縮化し得るようになされている。
【０１６７】
すなわち、この撮像レンズ６０では、開口絞りＳを第１レンズＧ６１と第２レンズＧ６２との間に配置することにより、製造敏感度を少しでも低減しながら、レンズ系全長を極力短くし得るようになされている。
【０１６８】
また、撮像レンズ６０では、第２レンズＧ６２が物体側に凹面を向けた形状を有していることにより、当該第２レンズＧ６２に対する光線の入射角が小さくなって広角化に伴う収差の発生を抑えることが出来るようになされている。
【０１６９】
なお撮像レンズ６０は、第４レンズＧ６４と像面ＩＭＧとの間に、当該像面ＩＭＧを保護するためのシールガラスＳＧが配置されている。
【０１７０】
このように撮像レンズ６０では、上述したようなレンズエレメント構成とすることによって、製造敏感度を低減しながらレンズ系全長を短縮化し、かつ諸収差を良好に補正し得るようになされている。
【０１７１】
表１１に、第６数値実施例の撮像レンズ６０に具体的数値を適用したときのレンズデータを、ＦナンバーＦＮｏ、レンズ系全長の焦点距離ｆ及び画角２ωと共に示す。
【０１７２】
【表１１】
2010026387.tif 000014
【０１７３】
この撮像レンズ６０においては、第１レンズＧ６１における物体側の面（Ｒ１）、第１レンズＧ６１における像側の面（Ｒ２）、第２レンズＧ６２における物体側の面（Ｒ４）、第２レンズＧ６２における像側の面（Ｒ５）、第３レンズＧ６３における物体側の面（Ｒ６）、第３レンズＧ６３における像側の面（Ｒ７）、第４レンズＧ６４における物体側の面（Ｒ８）、第４レンズＧ６４における像側の面（Ｒ９）が非球面形状に形成されている。
【０１７４】
続いて、第６数値実施例の撮像レンズ６０における非球面の４次、６次、８次及び１０次の非球面係数「Ａ」、「Ｂ」、「Ｃ」及び「Ｄ」を円錐係数「Ｋ」と共に、表１２に示す。なお、表１２において、「Ｅ−０１」は１０を底とする指数表現、即ち「１０−１」を表しており、例えば「０．１２３４５Ｅ−０５」は「０．１２３４５×１０−５」を表している。
【０１７５】
【表１２】
2010026387.tif 000015
【０１７６】
次に、第６数値実施例の撮像レンズ６０における諸収差を図１２に示す。この非点収差図においても、実線でサジタル像面における値を示し、破線でメリディオナル像面における値を示す。
【０１７７】
この図１２における諸収差図（球面収差図、非点収差図及び歪曲収差図）から、第６数値実施例の撮像レンズ６０においても諸収差が良好に補正され、優れた結像性能を有していることが分かる。
【０１７８】
〔２−７〕第７数値実施例
図１との対応部分に同一符号を付した図１３において、７０は全体として第７数値実施例における撮像レンズを示し、この場合も４枚のレンズを有する構成である。
【０１７９】
この撮像レンズ７０は、物体側から順に、物体側に凸面を向けたメニスカス形状の正の屈折力を有する第１レンズＧ７１と、開口絞りＳと、物体側に凹面を向けた負の屈折力を有する第２レンズＧ７２と、物体側に凹面を向けた正の屈折力を有する第３レンズＧ７３と、物体側に凸面を向けた負の屈折力を有する第４レンズＧ７４とによって構成されている。
【０１８０】
ここで、撮像レンズ７０においても、第１レンズＧ７１乃至第４レンズＧ７４の全てがプラスチックで構成されており、第１レンズＧ７１がポリオレフィン系又はアクリル系、第２レンズＧ７２がポリカーボネート系又はポリエステル系、第３レンズＧ７３がポリオレフィン系又はアクリル系、第４レンズＧ７４がポリオレフィン系又はアクリル系である。
【０１８１】
このような構成を有する撮像レンズ７０では、メガピクセル以上の高画素撮像素子に対応した良好な光学性能を有し、開口絞りＳを物体側の一番前に配置することなく、第１レンズＧ７１と第２レンズＧ７２との間に配置するようにした。
【０１８２】
これにより、この撮像レンズ７０では、開口絞りＳを物体側の一番前に配置したときに比べて、屈折力の強い第１レンズＧ７１及び第２レンズＧ７２における光線が通る光軸からの高さを低くすることができるため、製造敏感度を低減し得るようになされている。
【０１８３】
また、この撮像レンズ７０は、開口絞りＳをなるべく光学系の前方寄りの位置（第１レンズＧ７１と第２レンズＧ７２との間）に配置するようにしたことにより、射出瞳位置が前方寄りになってレンズ系全長を短縮化し得るようになされている。
【０１８４】
すなわち、この撮像レンズ７０では、開口絞りＳを第１レンズＧ７１と第２レンズＧ７２との間に配置することにより、製造敏感度を少しでも低減しながら、レンズ系全長を極力短くし得るようになされている。
【０１８５】
また、撮像レンズ７０では、第２レンズＧ７２が物体側に凹面を向けた形状を有していることにより、当該第２レンズＧ７２に対する光線の入射角が小さくなって広角化に伴う収差の発生を抑えることが出来るようになされている。
【０１８６】
なお撮像レンズ７０は、第４レンズＧ７４と像面ＩＭＧとの間に、当該像面ＩＭＧを保護するためのシールガラスＳＧが配置されている。
【０１８７】
このように撮像レンズ７０では、上述したようなレンズエレメント構成とすることによって、製造敏感度を低減しながらレンズ系全長を短縮化し、かつ諸収差を良好に補正し得るようになされている。
【０１８８】
表１３に、第７数値実施例の撮像レンズ７０に具体的数値を適用したときのレンズデータを、ＦナンバーＦＮｏ、レンズ系全長の焦点距離ｆ及び画角２ωと共に示す。
【０１８９】
【表１３】
2010026387.tif 000016
【０１９０】
この撮像レンズ７０においては、第１レンズＧ７１における物体側の面（Ｒ１）、第１レンズＧ７１における像側の面（Ｒ２）、第２レンズＧ７２における物体側の面（Ｒ４）、第２レンズＧ７２における像側の面（Ｒ５）、第３レンズＧ７３における物体側の面（Ｒ６）、第３レンズＧ７３における像側の面（Ｒ７）、第４レンズＧ７４における物体側の面（Ｒ８）、第４レンズＧ７４における像側の面（Ｒ９）が非球面形状に形成されている。
【０１９１】
続いて、第７数値実施例の撮像レンズ７０における非球面の４次、６次、８次及び１０次の非球面係数「Ａ」、「Ｂ」、「Ｃ」及び「Ｄ」を円錐係数「Ｋ」と共に、表１４に示す。なお、表１４において、「Ｅ−０１」は１０を底とする指数表現、即ち「１０−１」を表しており、例えば「０．１２３４５Ｅ−０５」は「０．１２３４５×１０−５」を表している。
【０１９２】
【表１４】
2010026387.tif 000017
【０１９３】
次に、第７数値実施例の撮像レンズ７０における諸収差を図１４に示す。この非点収差図においても、実線でサジタル像面における値を示し、破線でメリディオナル像面における値を示す。
【０１９４】
この図１４における諸収差図（球面収差図、非点収差図及び歪曲収差図）から、第７数値実施例の撮像レンズ７０においても諸収差が良好に補正され、優れた結像性能を有していることが分かる。
【０１９５】
〔２−８〕第８数値実施例
図１との対応部分に同一符号を付した図１５において、８０は全体として第８数値実施例における撮像レンズを示し、この場合も４枚のレンズを有する構成である。
【０１９６】
この撮像レンズ８０は、物体側から順に、物体側に凸面を向けたメニスカス形状の正の屈折力を有する第１レンズＧ８１と、開口絞りＳと、物体側に凹面を向けた負の屈折力を有する第２レンズＧ８２と、物体側に凹面を向けた正の屈折力を有する第３レンズＧ８３と、物体側に凸面を向けた負の屈折力を有する第４レンズＧ８４とによって構成されている。
【０１９７】
ここで、撮像レンズ８０においても、第１レンズＧ８１乃至第４レンズＧ８４の全てがプラスチックで構成されており、第１レンズＧ８１がポリオレフィン系又はアクリル系、第２レンズＧ８２がポリカーボネート系又はポリエステル系、第３レンズＧ８３がポリオレフィン系又はアクリル系、第４レンズＧ８４がポリオレフィン系又はアクリル系である。
【０１９８】
このような構成を有する撮像レンズ８０では、メガピクセル以上の高画素撮像素子に対応した良好な光学性能を有し、開口絞りＳを物体側の一番前に配置することなく、第１レンズＧ８１と第２レンズＧ８２との間に配置するようにした。
【０１９９】
これにより、この撮像レンズ８０では、開口絞りＳを物体側の一番前に配置したときに比べて、屈折力の強い第１レンズＧ８１及び第２レンズＧ８２における光線が通る光軸からの高さを低くすることができるため、製造敏感度を低減し得るようになされている。
【０２００】
また、この撮像レンズ８０は、開口絞りＳをなるべく光学系の前方寄りの位置（第１レンズＧ８１と第２レンズＧ８２との間）に配置するようにしたことにより、射出瞳位置が前方寄りになってレンズ系全長を短縮化し得るようになされている。
【０２０１】
すなわち、この撮像レンズ８０では、開口絞りＳを第１レンズＧ８１と第２レンズＧ８２との間に配置することにより、製造敏感度を少しでも低減しながら、レンズ系全長を極力短くし得るようになされている。
【０２０２】
また、撮像レンズ８０では、第２レンズＧ８２が物体側に凹面を向けた形状を有していることにより、当該第２レンズＧ８２に対する光線の入射角が小さくなって広角化に伴う収差の発生を抑えることが出来るようになされている。
【０２０３】
なお撮像レンズ８０は、第４レンズＧ８４と像面ＩＭＧとの間に、当該像面ＩＭＧを保護するためのシールガラスＳＧが配置されている。
【０２０４】
このように撮像レンズ８０では、上述したようなレンズエレメント構成とすることによって、製造敏感度を低減しながらレンズ系全長を短縮化し、かつ諸収差を良好に補正し得るようになされている。
【０２０５】
表１５に、第８数値実施例の撮像レンズ８０に具体的数値を適用したときのレンズデータを、ＦナンバーＦＮｏ、レンズ系全長の焦点距離ｆ及び画角２ωと共に示す。
【０２０６】
【表１５】
2010026387.tif 000018
【０２０７】
この撮像レンズ８０においては、第１レンズＧ８１における物体側の面（Ｒ１）、第１レンズＧ８１における像側の面（Ｒ２）、第２レンズＧ８２における物体側の面（Ｒ４）、第２レンズＧ８２における像側の面（Ｒ５）、第３レンズＧ８３における物体側の面（Ｒ６）、第３レンズＧ８３における像側の面（Ｒ７）、第４レンズＧ８４における物体側の面（Ｒ８）、第４レンズＧ８４における像側の面（Ｒ９）が非球面形状に形成されている。
【０２０８】
続いて、第８数値実施例の撮像レンズ８０における非球面の４次、６次、８次及び１０次の非球面係数「Ａ」、「Ｂ」、「Ｃ」及び「Ｄ」を円錐係数「Ｋ」と共に、表１６に示す。なお、表１６において、「Ｅ−０１」は１０を底とする指数表現、即ち「１０−１」を表しており、例えば「０．１２３４５Ｅ−０５」は「０．１２３４５×１０−５」を表している。
【０２０９】
【表１６】
2010026387.tif 000019
【０２１０】
次に、第８数値実施例の撮像レンズ８０における諸収差を図１６に示す。この非点収差図においても、実線でサジタル像面における値を示し、破線でメリディオナル像面における値を示す。
【０２１１】
この図１６における諸収差図（球面収差図、非点収差図及び歪曲収差図）から、第８数値実施例の撮像レンズ８０においても諸収差が良好に補正され、優れた結像性能を有していることが分かる。
【０２１２】
〔２−９〕条件式に対応した諸数値
次に、上述した条件式（１）乃至条件式（４）に対応した第１数値実施例乃至第８数値実施例における撮像レンズ１、２０、３０、４０、５０、６０、７０、８０の諸数値を表１７に示す。
【０２１３】
【表１７】
2010026387.tif 000020
【０２１４】
この表１７によれば、条件式（１）の通り、「ｆ２／ｆ」が最大でも「−１．５４」であって、条件式（１）ｆ２／ｆ＜−１．５を満足していることが分かる。
【０２１５】
また表１７によれば、第２レンズＧ２、Ｇ２２、Ｇ３２、Ｇ４２、Ｇ５２、Ｇ６２、Ｇ７２及びＧ８２のｄ線（波長５８７．６ｎｍ）におけるアッベ数ν２が、最小値「１２．０」から最大値「２７．０」で、条件式（２）１２＜ν２＜２８を満足していることが分かる。
【０２１６】
さらに表１７によれば、条件式（３）の通り、「ｆ３／ｆ」が最小値「０．６１」であって、最大値「１．１６」であるため、条件式（３）０．６＜ｆ３／ｆ＜１．５を満足していることが分かる。
【０２１７】
最後に、表１７によれば、第４レンズＧ４、Ｇ２４、Ｇ３４、Ｇ４４、Ｇ５４、Ｇ６４、Ｇ７４及びＧ８４のｄ線（波長５８７．６ｎｍ）におけるアッベ数ν４が、全て「５６．０」であって、条件式（４）ν４＞５０を満足していることが分かる。
【０２１８】
従って、第１数値実施例乃至第８数値実施例における撮像レンズ１、２０、３０、４０、５０、６０、７０、８０については、上述した条件式（１）乃至条件式（４）を全て満足するようになされている。
【０２１９】
このように第１数値実施例乃至第８数値実施例における撮像レンズ１、２０、３０、４０、５０、６０、７０、８０においては、上述した特許文献３及び特許文献４に記載された発明と比べた場合、条件式（１）乃至条件式（４）を満足する数値範囲が大きく異なる。
【０２２０】
これにより第１数値実施例乃至第８数値実施例における撮像レンズ１、２０、３０、４０、５０、６０、７０、８０においては、倍率色収差、軸上色収差及び軸外収差の補正を効果的に実行し得、メガピクセル以上の高画素撮像素子に十分対応可能な光学性能を有することができる。
【０２２１】
〔３〕撮像装置の構成
続いて、本発明の撮像レンズと、当該撮像レンズによって形成された光学像を電気的信号に変換するための例えばＣＣＤ(Charge Coupled Device)センサやＣＭＯＳ(Complementary Metal Oxide Semiconductor)センサ等でなる撮像素子とが組み合わされた構成の撮像装置について説明する。
【０２２２】
この撮像装置に設けられた撮像レンズは、物体側から順に、物体側に凸面を向けたメニスカス形状の正の屈折力を有する第１レンズと、開口絞りと、物体側に凹面を向けた負の屈折力を有する第２レンズと、物体側に凹面を向けた正の屈折力を有する第３レンズと、負の屈折力を有する第４レンズとによって構成されている。
【０２２３】
ここで、本発明の撮像装置の撮像レンズにおいては、第１レンズ乃至第４レンズの全てがプラスチックで構成されており、第１レンズがポリオレフィン系又はアクリル系、第２レンズがポリカーボネート系又はポリエステル系、第３レンズがポリオレフィン系又はアクリル系、第４レンズがポリオレフィン系又はアクリル系である。
【０２２４】
このような構成を有する撮像装置の撮像レンズでは、メガピクセル以上の高画素撮像素子に対応した良好な光学性能を有し、開口絞りを物体側の一番前に配置することなく、第１レンズと第２レンズとの間に配置するようにした。
【０２２５】
これにより撮像装置の撮像レンズでは、開口絞りを物体側の一番前に配置したときに比べて、屈折力の強いレンズにおける光線が通る光軸からの高さを低くすることができるため、製造敏感度を低減し得るようになされている。
【０２２６】
また撮像装置は、この撮像レンズにおいて開口絞りがなるべく光学系の前方寄りの位置（第１レンズと第２レンズとの間）に配置されたことにより、当該撮像レンズにおける射出瞳位置が前方寄りになってレンズ系全長を短縮化し得、かくして撮像装置全体としても小型化し得るようになされている。
【０２２７】
すなわち撮像装置では、この撮像レンズの開口絞りが第１レンズと第２レンズとの間に配置されたことにより、当該撮像レンズの製造敏感度を少しでも低減しながら、レンズ系全長を極力短くし得、ひいては当該撮像装置全体を小型化し得るようになされている。
【０２２８】
また撮像装置では、この撮像レンズにおいて、第２レンズが物体側に凹面を向けた形状を有していることにより、当該第２レンズに対する光線の入射角が小さくなって広角化に伴う収差の発生を抑えることが出来るようになされている。
【０２２９】
また撮像装置としては、この撮像レンズが以下の条件式（１）及び条件式（２）を満足するように構成されている。
（１）ｆ２／ｆ＜−１．５
（２）１２＜ν２＜２８
但し、
ｆ：レンズ全系の焦点距離
ｆ２：第２レンズの焦点距離
ν２：第２レンズのｄ線（波長５８７．６ｎｍ）におけるアッベ数
とする。
【０２３０】
条件式（１）は、レンズ全系の焦点距離ｆと、第２レンズの焦点距離ｆ２との比を規定するものであり、第２レンズの屈折力を制限している。この撮像レンズでは、条件式（１）の規定値を外れると、軸外収差（特にコマ収差）と像面湾曲の補正が困難になる。
【０２３１】
このように撮像装置では、撮像レンズが条件式（１）を満足することにより、軸中心付近ではなく、特に軸外からの光線によって発生する収差を効果的に補正し得るようになされている。
【０２３２】
また撮像装置では、撮像レンズにおけるレンズ全系の全長短縮及び広角化を行ううえで、条件式（１）のように第２レンズのパワーを規定することにより、当該第２レンズの製造感度をある程度低く抑え得るようになされている。
【０２３３】
条件式（２）は、第２レンズのアッベ数に関する条件を示しており、当該アッベ数がこの条件範囲内に入るようにすることにより、広角化に伴って発生する倍率色収差、軸上色収差を効果的に補正するものである。
【０２３４】
従って撮像装置では、撮像レンズが条件式（２）の上限を外れると、軸上色収差、倍率色収差が大きくなってしまい、逆に、下限を外れると、補正過剰になって軸上色収差、倍率色収差が増大してしまって良好な光学性能を維持できなくなってしまう。
【０２３５】
このように撮像装置は、撮像レンズにおいて条件式（１）及び条件式（２）を満足することにより、メガピクセル以上の高画素化撮像素子に対して収差の発生を抑えながら、レンズ系全長を短縮化し得、ひいては当該撮像装置全体を小型化し得るようになされている。
【０２３６】
さらに、この撮像装置は、撮像レンズにおいて以下の条件式（３）を満足するように構成されている。
（３）０．３５＜ｆ３／ｆ＜１．５
但し、
ｆ３：第３レンズの焦点距離
【０２３７】
条件式（３）は、第３レンズのパワー（屈折力）を規定するものである。この撮像装置では、撮像レンズが条件式（３）における規定値の上限を外れると、第３レンズのパワーが弱くなり過ぎてしまい、第２レンズで発生した収差を補正し切れなくなってしまう。
【０２３８】
また撮像装置では、撮像レンズが条件式（３）における規定値の下限を外れると、第３レンズのパワーが強くなり過ぎてしまい、それに伴って第２レンズのパワーも強くなり、製造敏感度が高くなってしまうと共に、第２レンズで発生したコマ収差、非点収差、像面湾曲を補正できなくなってしまう。
【０２３９】
また撮像装置は、この撮像レンズにおける第１レンズ及び第２レンズが、物体側及び像側の少なくとも１面が非球面形状であり、第３レンズ及び第４レンズが物体側及び像側の両面が非球面形状であることを特徴としている。これにより撮像装置では、当該撮像レンズを介して、特に軸外で発生するコマ収差、像面湾曲、歪曲収差を効果的に補正し得るようになされている。
【０２４０】
なお、撮像装置は、この撮像レンズにおいて第１レンズの両面を非球面形状にすることにより、当該第１レンズを介して球面収差を効果的に補正し得、また第２レンズの両面を非球面形状にすることにより、非点収差、像面湾曲及びコマ収差を効果的に補正し得るようになされている。
【０２４１】
因みに撮像レンズでは、第１レンズ及び第２レンズの両面を非球面形状にする場合、製造難易度が上がってしまうため、できるだけ物体側及び像側の何れか１面だけを非球面形状にすることが望ましい。
【０２４２】
但し、撮像レンズでは、広角化に伴って発生するコマ収差、球面収差、非点収差、像面湾曲、歪曲収差を補正するために両面を非球面にすることが理想的である。
【０２４３】
さらに、この撮像装置では、この撮像レンズが以下の条件式（４）を満足するように構成されている。
（４）ν４＞５０
但し、
ν４：第４レンズのｄ線（波長５８７．６ｎｍ）におけるアッベ数
とする。
【０２４４】
条件式（４）は、第４レンズのアッベ数を規定するものであり、この規定値をしたまわると、倍率色収差を補正できなくなってしまう。
【０２４５】
このように撮像装置は、この撮像レンズにおいて条件式（３）及び条件式（４）を満足することにより、製造敏感度を上げることなく収差の発生を抑え得るようになされている。
【０２４６】
かくして本発明においては、メガピクセル以上の高画素化された撮像素子に対応した良好な光学性能を有し、画角の広角化による光学性能の低下が少ない、レンズ系全長の一段と短い小型の撮像レンズが搭載された撮像装置を構成し得るようになされている。
【０２４７】
〔４〕撮像装置を搭載した携帯電話機の構成
次に、本発明の撮像装置を搭載した携帯電話機について説明する。
【０２４８】
図１７及び図１８に示すように、携帯電話機１００は、表示部１０１と本体部１０２とがヒンジ部１０３を介して折畳み自在に連結されており、携行時には表示部１０１と本体部１０２とが折畳まれた状態となり（図１７）、通話中等の使用時には表示部１０１と本体部１０２とが展開された状態となる（図１８）。
【０２４９】
表示部１０１は、一方の面に液晶表示パネル１１１が設けられると共に、当該液晶表示パネル１１１の上方にスピーカ１１２が設けられている。また表示部１０１は、その内部に撮像装置１０７が組み込まれると共に、その先端に赤外線無線通信を行うための赤外線通信部１０４が設けられている。
【０２５０】
また表示部１０１は、他方の面に撮像装置１０７における第１レンズの物体側に位置するカバーレンズ１０５が配置されている。
【０２５１】
本体部１０２は、一方の面に、数字キーや電源キー等の各種操作キー１１３が設けられ、その下端にマイクロフォン１１４が設けられている。また本体部１０２は、その側面にメモリーカードスロット１０６が設けられ、当該メモリーカードスロット１０６に対してメモリーカード１２０が挿脱され得るようになされている。
【０２５２】
図１９に示すように、携帯電話機１００は、ＣＰＵ(Central Processing Unit)１３０を有し、ＲＯＭ(Read Only Memory)１３１に格納されている制御プログラムをＲＡＭ(Random Access Memory)１３２に展開し、バス１３３を介して当該携帯電話機１００全体を統括制御するようになされている。
【０２５３】
携帯電話機１００は、カメラ制御部１４０を有し、当該カメラ制御部１４０を介して撮像装置１０７を制御することにより静止画や動画の撮影を実行し得るようになされている。
【０２５４】
カメラ制御部１４０は、撮像装置１０７を介して撮影することにより得られた画像データに関してＪＰＥＧ(Joint Photographic Experts Group)やＭＰＥＧ(Moving Picture Expert Group)等による圧縮加工処理を施し、その結果得られる画像データをバス１３３経由でＣＰＵ１３０、表示制御部１３４、通信制御部１６０、メモリーカードインターフェース１７０又は赤外線インターフェース１３５へ送出するようになされている。
【０２５５】
この撮像装置１０７は、撮像レンズ１、２０、３０、４０、５０、６０、７０又は８０の何れかと、ＣＣＤセンサやＣＭＯＳセンサ等でなる撮像素子ＳＳとが組み合わされて構成されている。
【０２５６】
携帯電話機１００は、ＣＰＵ１３０がカメラ制御部１４０から供給された画像データをＲＡＭ１３２に対して一時的に保存し、必要に応じてメモリーカードインターフェース１７０によりメモリーカード１２０に保存したり、或いは表示制御部１３４を介して液晶表示パネル１１１に出力するようになされている。
【０２５７】
また携帯電話機１００は、撮影時、同時にマイクロフォン１１４を介して収録した音声データを、音声コーデック１５０を介してＲＡＭ１３２に対して一時的に保存したり、必要に応じてメモリーカードインターフェース１７０によりメモリーカード１２０に保存したり、或いは液晶表示パネル１１１に対する画像表示と同時に音声コーデック１５０を介してスピーカ１１２から音声出力し得るようになされている。
【０２５８】
なお携帯電話機１００は、赤外線インターフェース１３５及び赤外線通信部１０４を介して画像データや音声データを外部へ出力し得、赤外線通信機能を備えた他の電子機器例えば携帯電話機、パーソナルコンピュータ、ＰＤＡ(Personal Digital Assistant)等に伝送し得るようになされている。
【０２５９】
因みに携帯電話機１００では、ＲＡＭ１３２やメモリーカード１２０に保存されている画像データに基づいて液晶表示パネル１１１に動画或いは静止画を表示する場合、カメラ制御部１４０により当該画像データのデコードや解凍処理を行った後、表示制御部１３４を介して液晶表示パネル１１１へ出力するようになされている。
【０２６０】
通信制御部１６０は、図示しないアンテナを介して基地局との間で電波の送受信を行うようになされており、音声通話モードにおいて、受信した音声データに対して所定の処理を施した後、音声コーデック１５０を介してスピーカ１１２へ出力するようになされている。
【０２６１】
また通信制御部１６０は、マイクロフォン１１４によって集音した音声信号を、音声コーデック１５０を介して所定の処理を施した後に、図示しないアンテナを介して送信するようになされている。
【０２６２】
この撮像装置１０７は、内部に組み込まれている撮像レンズ１、２０、３０、４０、５０、６０、７０又は８０が、上述したように、従来に比してレンズ系全長を短縮化し得る構成であるため、携帯電話機等のような薄型化が要求される電子機器に搭載される際に有利となる。
【０２６３】
〔５〕他の実施の形態
なお上述の実施の形態においては、第１数値実施例乃至第８数値実施例として、撮像レンズ１、２０、３０、４０、５０、６０、７０及び８０における各部の具体的形状や構造及び数値は、何れも本発明を実施するに際して行う具体化の一例を示したものに過ぎず、これらによって本発明の技術的範囲が限定的に解釈されることがあってはならないものである。
【０２６４】
また上述の実施の形態においては、第１数値実施例乃至第８数値実施例に基づいて表１７の具体的な数値を示すようにした場合について述べたが、本発明はこれに限らず、条件式（１）乃至条件式（４）を満足する範囲内であれば、その他種々の具体的な形状及び構造並びに数値を用いるようにしても良い。
【０２６５】
さらに上述の実施の形態においては、撮像レンズが物体側に凸面を向けた負の屈折力を有する第４レンズを用いるようにした場合について述べたが、本発明はこれに限らず、条件式（４）を満足しさえすれば、撮像レンズが物体側に凹面を向けた負の屈折力を有する第４レンズを用いるようにしても良い。
【０２６６】
さらに上述の実施の形態においては、本発明における撮像レンズの第１レンズ乃至第４レンズ全てがプラスチックで構成され、第１レンズがポリオレフィン系又はアクリル系、第２レンズがポリカーボネート系又はポリエステル系、第３レンズがポリオレフィン系又はアクリル系、第４レンズがポリオレフィン系又はアクリル系である場合について述べた。
【０２６７】
しかしながら、本発明はこれに限らず、本発明における撮像レンズの第１レンズ乃至第４レンズ全てが同等以上の光学性能を有するガラスレンズで構成されていても良い。
【産業上の利用可能性】
【０２６８】
本発明の撮像レンズ及び撮像装置においては、撮像装置１０７を例えば携帯電話機１００に搭載する場合を一例として示したが、撮像装置の適用対象としては、これに限られるものではなく、デジタルビデオカメラ、デジタルスチルカメラ、カメラが搭載されたパーソナルコンピュータ、カメラが組み込まれたＰＤＡ等のその他種々の電子機器に広く適用することができる。
【図面の簡単な説明】
【０２６９】
【図１】第１数値実施例における撮像レンズの構成を示す略線的断面図である。
【図２】第１数値実施例における諸収差を示す特性曲線図である。
【図３】第２数値実施例における撮像レンズの構成を示す略線的断面図である。
【図４】第２数値実施例における諸収差を示す特性曲線図である。
【図５】第３数値実施例における撮像レンズの構成を示す略線的断面図である。
【図６】第３数値実施例における諸収差を示す特性曲線図である。
【図７】第４数値実施例における撮像レンズの構成を示す略線的断面図である。
【図８】第４数値実施例における諸収差を示す特性曲線図である。
【図９】第５数値実施例における撮像レンズの構成を示す略線的断面図である。
【図１０】第５数値実施例における諸収差を示す特性曲線図である。
【図１１】第６数値実施例における撮像レンズの構成を示す略線的断面図である。
【図１２】第６数値実施例における諸収差を示す特性曲線図である。
【図１３】第７数値実施例における撮像レンズの構成を示す略線的断面図である。
【図１４】第７数値実施例における諸収差を示す特性曲線図である。
【図１５】第８数値実施例における撮像レンズの構成を示す略線的断面図である。
【図１６】第８数値実施例における諸収差を示す特性曲線図である。
【図１７】撮像装置を搭載した携帯電話機の外観構成（１）を示す略線的斜視図である。
【図１８】撮像装置を搭載した携帯電話機の外観構成（２）を示す略線的斜視図である。
【図１９】携帯電話機の回路構成を示す略線的ブロック図である。
【符号の説明】
【０２７０】
１、２０、３０、４０、５０、６０、７０、８０……撮像レンズ、１００……携帯電話機、１０１……表示部、１０２……本体部、１０３……ヒンジ部、１０４……赤外線通信部、１０５……カバーレンズ、１０６……メモリーカードスロット、１０７……撮像装置、１１１……液晶表示パネル、１１２……スピーカ、１１３……操作キー、１１４……マイクロフォン、１２０……メモリーカード、１３０……ＣＰＵ、１３１……ＲＯＭ、１３２……ＲＡＭ、１３４……表示制御部、１３５……赤外線インターフェース、１４０……カメラ制御部、１５０……音声コーデック、１６０……通信制御部、１７０……メモリーカードインターフェース。
【図１】
2010026387.tif 000021
【図２】
2010026387.tif 000022
【図３】
2010026387.tif 000023
【図４】
2010026387.tif 000024
【図５】
2010026387.tif 000025
【図６】
2010026387.tif 000026
【図７】
2010026387.tif 000027
【図８】
2010026387.tif 000028
【図９】
2010026387.tif 000029
【図１０】
2010026387.tif 000030
【図１１】
2010026387.tif 000031
【図１２】
2010026387.tif 000032
【図１３】
2010026387.tif 000033
【図１４】
2010026387.tif 000034
【図１５】
2010026387.tif 000035
【図１６】
2010026387.tif 000036
【図１７】
2010026387.tif 000037
【図１８】
2010026387.tif 000038
【図１９】
2010026387.tif 000039